【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】通信装置、通信装置の制御方法、及びコンピュータプログラム
【手続補正２】
【補正対象書類名】明細書
【補正対象項目名】特許請求の範囲
【補正方法】変更
【補正の内容】
【特許請求の範囲】
【請求項１】  通信装置であって、
通信可能なデバイスを検出する検出手段と、
前記検出手段により検出したデバイスに関するデバイス情報を取得する取得手段と、
前記取得手段により取得したデバイス情報と共に、前記デバイス情報を有するデバイスの前記通信装置への接続を許可するか否かを示す接続情報を記憶する記憶手段と、
前記接続情報に基づいて、前記検出手段により検出したデバイスが、前記通信装置への接続が許可されているデバイスか、前記通信装置への接続が許可されていないデバイスか、前記通信装置への接続が許可および不許可ともに設定されていないデバイスか、を判別する判別手段と、
前記判別手段による判別結果に基づいて、前記通信装置への接続が許可されているデバイスと、前記通信装置への接続が許可されていないデバイスと、前記通信装置への接続が許可および不許可ともに設定されていないデバイスと、をそれぞれ区別して表示する表示手段と、
を備えることを特徴とする通信装置。
【請求項２】  前記表示手段は、前記通信装置に接続されているデバイスと接続されていないデバイスとをそれぞれ区別して表示することを特徴とする請求項１記載の通信装置。
【請求項３】  前記表示手段は、前記検出手段により現在検出可能なデバイスと以前検出可能であったデバイスとをそれぞれ区別して表示することを特徴とする請求項１又は２記載の通信装置。
【請求項４】  前記記憶手段により記憶された接続情報を更新する更新手段を備え、
前記表示手段は、前記更新手段により更新された接続情報に応じた表示を行うことを特徴とする請求項１から３のいずれか１項に記載の通信装置。
【請求項５】  通信装置であって、
通信可能なデバイスを検出する検出手段と、
前記検出手段により検出したデバイスの前記通信装置との接続状態を示す接続情報を記憶する記憶手段と、
前記接続情報に基づいて、前記検出手段により検出したデバイスが新たに検出されたデバイスか否かを判別する判別手段と、
前記判別手段による判別結果に基づいて、前記通信装置により既に検出済みのデバイスと、前記通信装置により新たに検出されたデバイスと、を区別して表示する表示手段と、
を備えることを特徴とする通信装置。
【請求項６】  通信装置の制御方法であって、
通信可能なデバイスを検出するための検出工程と、
前記検出工程において検出したデバイスに関するデバイス情報を取得するための取得工程と、
前記取得工程において取得したデバイス情報と共に、前記デバイス情報を有するデバイスの前記通信装置への接続を許可するか否かを示す接続情報を記憶するための記憶工程と、
前記接続情報に基づいて、前記検出工程において検出したデバイスが、前記通信装置への接続が許可されているデバイスか、前記通信装置への接続が許可されていないデバイスか、前記通信装置への接続が許可および不許可ともに設定されていないデバイスか、を判別するための判別工程と、
前記判別工程における判別結果に基づいて、前記通信装置への接続が許可されているデバイスと、前記通信装置への接続が許可されていないデバイスと、前記通信装置への接続が許可および不許可ともに設定されていないデバイスと、をそれぞれ区別して表示するための表示工程と、
を有することを特徴とする通信装置の制御方法。
【請求項７】  通信装置の制御方法であって、
通信可能なデバイスを検出するための検出工程と、
前記検出工程において検出したデバイスの前記通信装置との接続状態を示す接続情報を記憶するための記憶工程と、
前記接続情報に基づいて、前記検出工程において検出したデバイスが新たに検出されたデバイスか否かを判別するための判別工程と、
前記判別工程における判別結果に基づいて、前記通信装置により既に検出済みのデバイスと、前記通信装置により新たに検出されたデバイスと、を区別して表示するための表示工程と、
を有することを特徴とする通信装置の制御方法。
【請求項８】  請求項６または７記載の通信装置の制御方法をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、他のデバイスを検出して表示する通信装置、当該通信装置の制御方法、および当該制御方法をコンピュータに実行させるためのコンピュータプログラムに関する。
【手続補正４】
【補正対象書類名】明細書
【補正対象項目名】００１１
【補正方法】変更
【補正の内容】
【００１１】
本発明は、通信装置により検出されたデバイスを表示する際に、ユーザが目的のデバイスを容易に識別することができるような表示を行う通信装置、通信装置の制御方法、及びコンピュータプログラムを提供することを目的とする。
【手続補正５】
【補正対象書類名】明細書
【補正対象項目名】００１２
【補正方法】変更
【補正の内容】
【００１２】
上記目的を達成するため、請求項１記載の通信装置は、通信装置であって、通信可能なデバイスを検出する検出手段と、前記検出手段により検出したデバイスに関するデバイス情報を取得する取得手段と、前記取得手段により取得したデバイス情報と共に、前記デバイス情報を有するデバイスの前記通信装置への接続を許可するか否かを示す接続情報を記憶する記憶手段と、前記接続情報に基づいて、前記検出手段により検出したデバイスが、前記通信装置への接続が許可されているデバイスか、前記通信装置への接続が許可されていないデバイスか、前記通信装置への接続が許可および不許可ともに設定されていないデバイスか、を判別する判別手段と、前記判別手段による判別結果に基づいて、前記通信装置への接続が許可されているデバイスと、前記通信装置への接続が許可されていないデバイスと、前記通信装置への接続が許可および不許可ともに設定されていないデバイスと、をそれぞれ区別して表示する表示手段と、を備えることを特徴とする。
請求項５の通信装置は、通信装置であって、通信可能なデバイスを検出する検出手段と、前記検出手段により検出したデバイスの前記通信装置との接続状態を示す接続情報を記憶する記憶手段と、前記接続情報に基づいて、前記検出手段により検出したデバイスが新たに検出されたデバイスか否かを判別する判別手段と、前記判別手段による判別結果に基づいて、前記通信装置により既に検出済みのデバイスと、前記通信装置により新たに検出されたデバイスと、を区別して表示する表示手段と、を備えることを特徴とする。
請求項６の通信装置の制御方法は、通信装置の制御方法であって、通信可能なデバイスを検出するための検出工程と、前記検出工程において検出したデバイスに関するデバイス情報を取得するための取得工程と、前記取得工程において取得したデバイス情報と共に、前記デバイス情報を有するデバイスの前記通信装置への接続を許可するか否かを示す接続情報を記憶するための記憶工程と、前記接続情報に基づいて、前記検出工程において検出したデバイスが、前記通信装置への接続が許可されているデバイスか、前記通信装置への接続が許可されていないデバイスか、前記通信装置への接続が許可および不許可ともに設定されていないデバイスか、を判別するための判別工程と、前記判別工程における判別結果に基づいて、前記通信装置への接続が許可されているデバイスと、前記通信装置への接続が許可されていないデバイスと、前記通信装置への接続が許可および不許可ともに設定されていないデバイスと、をそれぞれ区別して表示するための表示工程と、を有することを特徴とする。
請求項７の通信装置の制御方法は、通信装置の制御方法であって、通信可能なデバイスを検出するための検出工程と、前記検出工程において検出したデバイスの前記通信装置との接続状態を示す接続情報を記憶するための記憶工程と、前記接続情報に基づいて、前記検出工程において検出したデバイスが新たに検出されたデバイスか否かを判別するための判別工程と、前記判別工程における判別結果に基づいて、前記通信装置により既に検出済みのデバイスと、前記通信装置により新たに検出されたデバイスと、を区別して表示するための表示工程と、を有することを特徴とする。
請求項８のコンピュータプログラムは、請求項６または７記載の通信装置の制御方法をコンピュータに実行させることを特徴とする。
【手続補正６】
【補正対象書類名】明細書
【補正対象項目名】００６１
【補正方法】変更
【補正の内容】
【００６１】
上述したように、本実施の形態によれば、サーバＫ１０４のＣＰＵ２０１が、デバイスリストに基づいて、サーバＫ１０４への接続が許可されている端末と接続が許可されていない端末とを判別し、さらに、サーバＫ１０４のＣＰＵ２０１で検出された端末であって、デバイスリストに予め登録されていない端末を判別し、この判別結果に基づいて、表示部２０６がサーバＫ１０４への接続が許可されている端末と、サーバＫ１０４への接続が許可されていない端末と、サーバＫ１０４への接続が許可および不許可ともに設定されていない端末（デバイスリストに予め登録されていない端末であって、新たに接続する端末）とをそれぞれ区別して表示するので、以前に行った周辺デバイス探索及び接続許可状態を利用することができ、会議に途中参加する端末及び途中退席する端末の選択が容易になるという効果がある。
また、本実施の形態におけるデバイス検出装置によれば、以前に行った周辺デバイス探索及び接続許可状態を利用することができ、会議に途中参加するデバイス及び途中退席するデバイスの選択が容易になるという効果がある。
【手続補正７】
【補正対象書類名】明細書
【補正対象項目名】００６７
【補正方法】削除
【補正の内容】
【手続補正８】
【補正対象書類名】明細書
【補正対象項目名】００６８
【補正方法】削除
【補正の内容】
【手続補正９】
【補正対象書類名】明細書
【補正対象項目名】００６９
【補正方法】削除
【補正の内容】
【手続補正１０】
【補正対象書類名】明細書
【補正対象項目名】００７０
【補正方法】削除
【補正の内容】
【手続補正１１】
【補正対象書類名】明細書
【補正対象項目名】００７１
【補正方法】削除
【補正の内容】
【手続補正１２】
【補正対象書類名】明細書
【補正対象項目名】００７２
【補正方法】削除
【補正の内容】
【手続補正１３】
【補正対象書類名】明細書
【補正対象項目名】００７３
【補正方法】削除
【補正の内容】
【手続補正１４】
【補正対象書類名】明細書
【補正対象項目名】００７４
【補正方法】削除
【補正の内容】
【手続補正１５】
【補正対象書類名】明細書
【補正対象項目名】００７５
【補正方法】削除
【補正の内容】
【手続補正１６】
【補正対象書類名】明細書
【補正対象項目名】００７６
【補正方法】削除
【補正の内容】
【手続補正１７】
【補正対象書類名】明細書
【補正対象項目名】００７７
【補正方法】変更
【補正の内容】
【００７７】
【発明の効果】
以上説明したように、本発明によれば、検出したデバイスを表示する際に、ユーザが目的のデバイスを容易に識別することができるような表示を行うことができる。例えば、通信可能な位置に多くのデバイスが存在する場合であっても、新たに検出したデバイスを区別して表示するので、ユーザは目的のデバイスを効率的に探すことができる。